(57)【要約】【課題】外部電源による補充電を行う保守作業が不要となると共に、設置場所の制限や移動の制限を受けない電子ポスターシステムを提供する。【解決手段】電子ポスターシステムは、サーバ装置３０と、複数の表示装置４０，…，４０とから構成されている。サーバ装置３０は、たとえば駅舎などに設置され、表示用データを無線通信により送信する。表示装置４０，…，４０は、駅全域の掲示板や外壁などの従来の紙のポスターを用いた広告と同様の位置に自由に設置され、また、事故情報などの緊急表示などは、駅施設内で自由に追加設置できると共に移動も可能なものである。表示装置４０，…，４０は、サーバ装置３０に無線接続され、同サーバ装置３０から送信された表示用データを受信して画面表示する機能を有し、太陽電池４３ｂの起電力により動作する。【選択図】図１
2009210948.tif 000002
【特許請求の範囲】
【請求項１】
表示用データを無線通信により送信するサーバ装置と、
該サーバ装置に無線接続され、該サーバ装置から送信された前記表示用データを受信して画面表示する複数の表示装置とを有する電子ポスターシステムであって、
前記各表示装置は、
太陽電池の起電力により動作する構成とされていることを特徴とする電子ポスターシステム。
【請求項２】
表示用データを無線通信により送信するサーバ装置と、
該サーバ装置に無線接続され、該サーバ装置から送信された前記表示用データを受信して画面表示する複数の表示装置とを有する電子ポスターシステムであって、
前記各表示装置は、
当該表示装置が動作するための電源部を有し、
該電源部は、
二次電池と、
該二次電池を充電するための太陽電池とから構成されていることを特徴とする電子ポスターシステム。
【請求項３】
表示用データを無線通信により送信するサーバ装置と、
該サーバ装置に無線接続され、該サーバ装置から送信された前記表示用データを受信して画面表示する複数の表示装置とを有する電子ポスターシステムであって、
前記各表示装置は、
当該表示装置が動作するための電源部を有し、
該電源部は、
太陽電池のみで構成されていることを特徴とする電子ポスターシステム。
【請求項４】
前記各表示装置は、
前記表示用データの画面表示を完了したとき、該画面表示を完了した旨を無線通信により前記サーバ装置に送信する構成とされ、
前記サーバ装置は、
前記各表示装置から前記画面表示を完了した旨が受信されないとき、当該表示装置に対して前記表示用データの送信を所定回数繰り返し、さらに前記画面表示を完了した旨が受信されないとき、当該表示装置が表示エラーの状態である旨を画面表示する構成とされていることを特徴とする請求項１、２又は３記載の電子ポスターシステム。
【請求項５】
前記各表示装置は、
前記太陽電池の起電力を監視し、該起電力に異常が発生したとき、該起電力が異常である旨を表す起電力異常情報を生成する起電力監視手段と、
該起電力監視手段で生成された前記起電力異常情報を無線通信により前記サーバ装置に送信する第１の無線通信手段とを備え、
前記サーバ装置は、
前記各表示装置から送信された前記起電力異常情報を受信する第２の無線通信手段と、
該第２の無線通信手段で受信された前記起電力異常情報に基づいて、前記太陽電池の起電力が異常である旨を画面表示する表示部とを備えてなることを特徴とする請求項１、２、３又は４記載の電子ポスターシステム。
【請求項６】
コンピュータを請求項５記載の起電力監視手段として機能させるためのコンピュータ読み取り可能な起電力監視制御表示確認プログラム。
【発明の詳細な説明】
【技術分野】
【０００１】
この発明は、電子ポスターシステム及び該電子ポスターシステムに用いられる起電力監視制御表示確認プログラムに係り、たとえば、駅構内などのように、表示用データを作成するサーバ装置と同表示用データを画面表示する複数の表示装置とが分散配置される場合に用いて好適な電子ポスターシステム及び該電子ポスターシステムに用いられる起電力監視制御表示確認プログラムに関する。
【背景技術】
【０００２】
紙のポスターは、簡便な設置性に優れているが、更新時の取り替え作業に多大な手間がかかるという問題点がある。これを改善するために種々の電子ポスターシステムが開発されているが、同システムの表示装置側に対して、表示内容の更新時にデータを伝送するための通信ケーブルや、電源を供給するための電源ケーブルが必要となり、設置の場所の自由度と簡便な設置性及び移動性に制約がある。このため、電子ペーパと無線通信とを用いた電子ポスターシステムが提案されている。
【０００３】
この種の電子ポスターシステムは、たとえば図３に示すように、サーバ装置１０と、表示装置２０とから構成されている。サーバ装置１０は、制御部１１と、データ入力部１２と、データ蓄積部１３と、無線通信部１４と、表示部１５とから構成されている。表示装置２０は、制御部２１と、無線通信部２２と、二次電池２３と、表示部２４とから構成されている。
【０００４】
サーバ装置１０では、データ入力部１２により、入力データｉｎに基づいて、表示データの作成や、作成済みデータの取り込みが行われ、これらのデータがデータ蓄積部１３に蓄積される。蓄積されたデータは、制御部１１により、プログラム制御に基づいて無線通信部１４を介して表示装置２０へ送信されると共に、表示部１５に表示される。表示装置２０は、電子ペーパで構成され、サーバ装置１１から送信された表示データが無線通信部２２で受信される。無線通信部２２で受信された表示データは、制御部２１を経て表示部２４に画面表示される。また、二次電池２３により、表示装置２０の各部に電力が供給される。二次電池２３は、図示しない外部電源により補充電される。
【０００５】
なお、現状では、上記従来の技術に関する適切な先行技術文献情報はない。
【発明の開示】
【発明が解決しようとする課題】
【０００６】
しかしながら、上記電子ポスターシステムでは、次のような問題点があった。
すなわち、図３の電子ポスターシステムでは、表示装置２０の電源として二次電池２３のみが用いられているため、一定期間毎に外部電源による補充電を行う保守作業が必要となる。この場合、担当者が表示装置２０が設置されている場所まで出向き、同表示装置２０を壁などから取り外し、充電後に再設置するという手間がかかる。また、表示装置２０は、常に外部電源により電力供給が行われる構成とされた場合、同表示装置２０が完全ケーブルレスではなくなり、電源確保に伴う設置場所の制限、有線ケーブルに伴う移動の制限を受けるという問題点がある。
【０００７】
この発明は、上述の事情に鑑みてなされたもので、外部電源による補充電を行う保守作業が不要となると共に、設置場所の制限や移動の制限を受けない電子ポスターシステム及び該電子ポスターシステムに用いられる起電力監視制御表示確認プログラムを提供することを目的としている。
【課題を解決するための手段】
【０００８】
上記課題を解決するために、この発明の第１の構成は、表示用データを無線通信により送信するサーバ装置と、該サーバ装置に無線接続され、該サーバ装置から送信された前記表示用データを受信して画面表示する複数の表示装置とを有する電子ポスターシステムに係り、前記各表示装置は、太陽電池の起電力により動作する構成とされていることを特徴としている。
【発明の効果】
【０００９】
この発明の構成によれば、各表示装置は、太陽電池の起電力により動作する構成とされているので、無線ネットワーク範囲内の任意の場所に設置及び移動が可能となり、遠隔のサーバ装置からの表示内容の更新が可能となる。さらに、表示装置は、完全にワイヤレス化、薄型化、及び軽量化でき、従来の紙のポスターと同様の設置利便性をもつことができる。
【発明を実施するための最良の形態】
【００１０】
各表示装置は、当該表示装置が動作するための電源部を有し、同電源部は、二次電池と、同二次電池を充電するための太陽電池とから構成されている電子ポスターシステム及び該電子ポスターシステムに用いられる起電力監視制御表示確認プログラムを提供する。
【００１１】
また、表示必要時に常時周囲に光源のある環境においては、この発明では、各表示装置は、当該表示装置が動作するための電源部を有し、同電源部は、太陽電池のみで構成されている。
【００１２】
また、この発明では、各表示装置は、表示用データの画面表示を完了したとき、同画面表示を完了した旨を無線通信によりサーバ装置に送信する構成されている。また、サーバ装置は、各表示装置から画面表示を完了した旨が受信されないとき、当該表示装置に対して表示用データの送信を所定回数繰り返し、さらに画面表示を完了した旨が受信されないとき、当該表示装置が表示エラーの状態である旨を画面表示する構成とされている。
【００１３】
また、この発明では、各表示装置は、太陽電池の起電力を監視し、同起電力に異常が発生したとき、同起電力が異常である旨を表す起電力異常情報を生成する起電力監視手段と、同起電力監視手段で生成された起電力異常情報を無線通信によりサーバ装置に送信する第１の無線通信手段とを備えている。上記サーバ装置は、上記各表示装置から送信された起電力異常情報を受信する第２の無線通信手段と、同第２の無線通信手段で受信された起電力異常情報に基づいて、太陽電池の起電力が異常である旨を画面表示する表示部とを備えている。
【実施例１】
【００１４】
図１は、この発明の第１の実施例である電子ポスターシステムの要部の電気的構成を示すブロック図である。
この例の電子ポスターシステムは、同図に示すように、サーバ装置３０と、複数の表示装置４０，…，４０とから構成されている。サーバ装置３０は、たとえば駅舎などに設置され、プログラム制御により、表示用データを無線通信により送信する。表示装置４０，…，４０は、駅全域の掲示板や外壁などの従来の紙のポスターを用いた広告と同様の位置に自由に設置され、また、事故情報などの緊急表示などは、駅施設内で自由に追加設置できると共に移動も可能なものである。特に、この実施例では、表示装置４０，…，４０は、サーバ装置３０に無線接続され、同サーバ装置３０から送信された表示用データを受信して画面表示する機能を有し、太陽電池の起電力により動作する。
【００１５】
サーバ装置３０は、制御部３１と、データ入力部３２と、データ蓄積部３３と、無線通信部３４と、表示部３５とから構成されている。データ入力部３２は、たとえば、キーボードやメモリドライバなどで構成され、表示用データの作成や作成済みデータを入力データｉｎとして取り込む。データ蓄積部３３は、たとえばＲＡＭ（Random Access Memory）などで構成され、取り込まれたデータを保存する。無線通信部３４は、たとえば無線ＬＡＮ（Wireless Local Area Network ）として構成され、データ蓄積部３３に蓄積されている表示用データを無線通信により送信する。制御部３１は、所定の制御プログラムに基づいて、サーバ装置３０全体を制御する。表示部３５は、たとえば無線通信部３４から送信される表示用データなど、サーバ装置３０の動作に必要なデータを表示する。
【００１６】
表示装置４０は、制御部４１と、無線通信部４２と、電源部４３と、表示部４４とから構成されている。無線通信部４２は、サーバ装置３０の無線通信部３４から送信された表示用データを受信する。電源部４３は、表示装置４０全体が動作するための電源であり、二次電池４３ａと、太陽電池４３ｂとから構成されている。二次電池４３ａは、たとえば、リチウムイオン電池などで構成されている。太陽電池４３ｂは、周囲の光ｐを電力に変換し、二次電池４３ａを充電するためのものである。
【００１７】
表示部４４は、たとえば電子ペーパなどで構成され、表示用データを表示する。制御部４１は、表示装置４０全体を制御するコンピュータとしてのＣＰＵ（中央処理装置）４１ａ及び同ＣＰＵ４１ａを動作させるための起電力監視制御表示確認プログラムが記録されたＲＯＭ（Read Only Memory）４１ｂを有している。特に、この実施例では、制御部４１は、太陽電池４３ｂの起電力を監視し、同起電力に異常（たとえば、電圧低下など）が発生したとき、同起電力が異常である旨を表す起電力異常情報を生成する。この場合、上記無線通信部４２は、制御部４１で生成された上記起電力異常情報を無線通信によりサーバ装置３０に送信する。また、制御部４１は、表示部４４で表示用データの画面表示を完了したことを確認したとき、同画面表示を完了した旨を無線通信部４２を経てサーバ装置３０に送信する。
【００１８】
また、サーバ装置３０の無線通信部３４は、各表示装置４０から送信された起電力異常情報を受信し、表示部３５は、同無線通信部３４で受信された同起電力異常情報に基づいて、太陽電池４３ｂの起電力が異常である旨を画面表示する。また、サーバ装置３０は、各表示装置４０から画面表示を完了した旨が受信されないとき、当該表示装置４０に対して表示用データの送信を所定回数繰り返し、さらに画面表示を完了した旨が受信されないとき、当該表示装置４０が表示エラーの状態である旨を表示部３５で画面表示する。
【００１９】
次に、この電子ポスターシステムの動作について説明する。
まず、サーバ装置３０のデータ入力部３２において、表示用の文字や画像などのデータが入力される。この場合、データが既に電子データ化されていれば、ネットワークや記録メディアを通じて入力され、紙などの資料であれば、スキャナなどの入力装置を介して入力され、また、担当者がキーボードを操作することにより入力される。そして、入力されたデータは、制御部３１によりデータ蓄積部３３に一旦保存され、蓄積されたデータの中から必要なデータが適宜読み出される。さらに、データ蓄積部３３に保存されたデータは、後で担当者がデータ入力部３２のキーボードなどを操作することにより、制御部３１を介して、編集、再保存、及び消去が行われる。制御部３１では、制御プログラム又はデータ入力部３２から入力される手動の命令に基づいて、データ蓄積部３３に保存されているデータが読み出され、同データが無線通信部３４へ送出される。制御部３１から送出されたデータは、無線通信部３４により表示装置４０に送信される。
【００２０】
表示装置４０の無線通信部４２では、サーバ装置３０の無線通信部３４から送信されたデータが受信され、制御部４１に送出される。このデータは、制御部４１により表示部４４へ送出され、画面に表示される。表示部４４に対するデータの伝送が完了すると、制御部４１により、表示動作が完了した旨が無線通信部４２を経てサーバ装置３０に送出される。サーバ装置３０の無線通信部３４では、表示装置４０から表示動作の完了の旨が受信され、制御部３１に送出される。制御部３１では、表示装置４０での表示動作が完了したことが確認され、動作が終了する。一方、制御部３１では、一定時間を過ぎても、表示装置４０から表示動作の完了の報告がない場合、制御プログラムに基づいてデータの送信が再度行われ、制御プログラムにより指定された回数を繰り返しても、表示装置４０から表示動作完了の報告が得られない場合、表示装置４０に表示エラーが有る旨を表示部３５で表示させ、動作が終了する。
【００２１】
また、表示装置４０では、太陽電池４３ｂにより、同表示装置４０が設置された環境における太陽光又は照明光（光ｐ）が起電力に変換され、二次電池４３ａが充電される。二次電池４３ａにより、表示装置４０の各部に対して電力が供給される。制御部４１では、太陽電池４３ｂによる二次電池４３ａの充電、及び二次電池４３ａの電力供給が監視され、同二次電池４３ａの電圧低下などの電源異常が検出された場合には、無線通信部４２を介してサーバ装置３０に報告される。サーバ装置３０の制御部３１では、無線通信部３４からの電源異常の報告に基づいて、電源異常が有る旨を表示部３５に表示させる。
【００２２】
この電子ポスターシステムでは、表示装置４０の電源が太陽電池４３ｂにより確保されることで、二次電池４３ａを外部電源により補充電する必要がなく、消費電力が低減されると共に、外部から電源供給する必要のない電源ケーブルレス化が実現する。また、サーバ装置３０と表示装置４０との間で無線通信によってデータが伝送される構成になっているので、サーバ装置３０と表示装置４０との間の通信ケーブルが不要となる。また、表示装置４０の表示部４４が電子ペーパで構成されているため、表示更新時のみに電力を消費するが、通常の表示時における電力消費が抑制され、液晶などの表示デバイスに比べて表示装置４０全体の電力消費が大幅に低減される。よって、表示装置４０は、完全なケーブルレス化が実現しつつ、遠隔場所からの表示更新が行われる構成となり、煩雑な更新作業が不要になると共に、たとえば、プログラムに基づいて、一日の一定時間毎に表示内容を順次更新するなど、機能が柔軟性を有するものとなる。さらに、表示装置４０は、無線通信が可能なエリア内において設置場所の自由な変更やエリア内の移動にも対応し、設置の自由度の高いものとなる。また、表示装置４０は、薄型軽量化によって従来の紙のポスターと同様の設置手段を継承できる。
【００２３】
以上のように、この第１の実施例では、表示装置４０の表示内容が遠隔のサーバ装置３０から電子更新されるので、ポスターの交換及び張替えの手間が削減される。また、通信及び電源が完全にケーブルレスであると共に、従来の紙のポスターと同様に薄型及び軽量のため、表示装置４０の設置形態を自由に選択できる。また、通信及び電源が完全にケーブルレスであるので、無線通信のエリア内であれば、表示装置４０の設置場所を自由に設定できる。また、サーバ装置３０は、各表示装置４０から画面表示を完了した旨が受信されないとき、当該表示装置４０が表示エラーの状態である旨を表示部３５で画面表示するので、保守担当者が速やかに保守作業に対応できる。
【実施例２】
【００２４】
図２は、この発明の第２の実施例である電子ポスターシステムの要部の電気的構成を示すブロック図であり、第１の実施例を示す図１中の要素と共通の要素には共通の符号が付されている。
この例の電子ポスターシステムでは、同図２に示すように、図１中の表示装置４０，…，４０に代えて、異なる構成の表示装置４０Ａ，…，４０Ａが設けられている。表示装置４０Ａでは、電源部が太陽電池４３ｂのみで構成されている。他は、図１と同様の構成である。
【００２５】
通常、表示装置４０Ａに表示される広告などは、これらの付近を通行する人のための表示であるため、この電子ポスターシステムでは、同表示装置４０Ａが、周囲で人が活動できる程度に光のある環境に設置されている。このため、表示装置４０Ａの使用条件として、暗闇の中での表示の更新が不要であれば、電源部の構成は、二次電池を省き、太陽電池４３ｂのみとすることができる。これに伴い、表示装置４０Ａ全体が、より薄型及び軽量化されたものとなる。
【産業上の利用可能性】
【００２６】
この発明は、駅構内の広告表示や列車事故などの緊急掲示板、また、列車、バス内外の広告表示、更には、博物館内の言語及び年齢の異なる見学者に合わせて変更可能な案内及び解説などを表示する場合に用いて好適である。一方、ビルの外壁などを借りての一時的な広告表示などの場合も、新たな電源確保が不要であり、電源工事や大規模な設置及び更新工事を伴うような高所や危険な場所への設置においても、無線を用いた遠隔場所からの表示更新により、作業が省力化される。
【図面の簡単な説明】
【００２７】
【図１】この発明の第１の実施例である電子ポスターシステムの要部の電気的構成を示すブロック図である。
【図２】この発明の第２の実施例である電子ポスターシステムの要部の電気的構成を示すブロック図である。
【図３】従来の電子ポスターシステムの要部の電気的構成を示すブロック図である。
【符号の説明】
【００２８】
３０      サーバ装置（電子ポスターシステムの一部）
３１      制御部
３２      データ入力部
３３      データ蓄積部
３４      無線通信部（第２の無線通信手段）
３５      表示部
４０，…，４０，４０Ａ，…，４０Ａ      表示装置（電子ポスターシステムの一部）
４１      制御部（起電力監視手段）
４１ａ      ＣＰＵ（中央処理装置）
４１ｂ      ＲＯＭ（Read Only Memory）
４２      無線通信部（第１の無線通信手段）
４３      電源部
４３ａ      二次電池
４３ｂ      太陽電池
４４      表示部
【図１】
2009210948.tif 000003
【図２】
2009210948.tif 000004
【図３】
2009210948.tif 000005